(57)【特許請求の範囲】
【請求項１】
ドレッシング等の内容物を収容する容器の上部に設けた開口部から内容物を注ぎ出すようにした包装用容器において、
円筒形に形成した弾性を有する容器が胴部と下部とからなっており、前記胴部を外周方向へ滑らかに膨出した湾曲形状に形成すると共に、湾曲形状による胴部の最大外径部である変節点が胴部の上下幅の中間点よりも上方に存在し、且つ変節点の上方外形の曲率半径が変節点の下方外形の曲率半径よりも小である形状とし、
前記変節点の上方外形が変節点の下方外形よりも強く反発することによって胴部の形状復元性が強く発揮されることを特徴とする包装用容器。
【請求項２】
容器の上部にて外周に突出した形状を有する肩部と外方へ滑らかに膨出した湾曲形状の胴部との境界部の外周に内方へ凹んだ形状を有するリブを形成したことを特徴とする請求項１記載の包装用容器。
【請求項３】
容器の下部の外周が容器の他の部位の外周よりも大径に形成され、容器の下部の外周に内方へ凹んだ下方リブを形成すると共に、この下方リブから上方の胴部へ向けて外径を徐々に縮小する傾斜部を形成しつつ胴部に至る形状であって、傾斜部と胴部との境界の外周に内方へ凹んだ上方リブを形成したことを特徴とする請求項１又は２記載の包装用容器。
【請求項４】
傾斜部と胴部との境界の外周に内方へ凹んだ上方リブを形成したことを特徴とする請求項３記載の包装用容器。
【発明の詳細な説明】
【技術分野】
【０００１】
本発明は、粘性の高いドレッシング等の内容物を収容する容器であって、中栓を開けた開口部から容器内のドレッシングをサラダ等の食材に注ぎかけるように使用する包装用容器に関する。
【背景技術】
【０００２】
従来、家庭等で一般的に使用されているドレッシング用ペットボトル（以下、単に「ドレッシングボトル」と称する）は、成形加工の際において、またボトル内に高温の内容物を充填した際において、高温から低温へ変化する際に発生する減圧変形に対処するため、ボトルを厚肉化する傾向にあった。
【０００３】
一方、粘性の高いドレッシング等の内容物をドレッシングボトルに収容し、斜めに傾けたボトルの開口部から内容物を注ぎ出す際、ボトルの開口部の周囲や中栓のネジ溝に内容物が付着する液だれ現象が発生する。
【０００４】
このような液だれ現象を防止するには、ボトルの胴部を押圧することによって内容物を搾り出すように、ボトルの胴部にスクイズ性を持たせるのが好ましい。また、ボトルの胴部にスクイズ性を持たせることによって、ボトルの胴部を押圧した状態から開放すると、ボトルの開口部から内方へ向けて吸引力が生じ、このときボトルの開口部の周囲に垂れた内容物がボトル内に吸引されることになる。
【０００５】
従って、上記の液だれ現象を解消するには、ボトルを薄肉化することによって胴部にスクイズ性を持たせるのが好ましい。その反面、上記のようにボトルに発生する減圧変形等を防止するには、ボトルの胴部等の強度を確保する必要があるが、そのためにボトルの肉厚を厚くすると上記のスクイズ性を失ってしまうという不都合が生じる。
【０００６】
ここで、従来の技術として、下記の特許文献１を参照する。この文献の発明は、ボトルの胴部を押圧して内容物を搾り出すことができる容器構成を有するものであり、ボトルの外周を画定する中間点のパネル部分に、複数の凹凸を垂直に向けたグリッパ区分を形成したものである。
【先行技術文献】
【特許文献】
【０００７】
【特許文献１】特表２００６−５１８６９４号公報
【発明の概要】
【発明が解決しようとする課題】
【０００８】
しかしながら、家庭の食卓等で使用するドレッシングボトルの外周に複数の凸を形成するのは、意匠性の面からも優れたものとは云えず、むしろ、ドレッシングボトルのデザインとしては、ボトルの外周を滑らかな形状にするのが好ましい。
【０００９】
本発明は、以上のような事情に鑑みてなされたものであり、包装用容器のスクイズ性を確保するために、容器の胴部を薄肉化し、しかも容器内に高温の内容物を収容する時の熱変形、減圧変形等にも対処し得るように容器の胴部等の強度を確保するようにした包装用容器を提供することを目的とする。
【課題を解決するための手段】
【００１０】
上記の問題を解決するために、本発明の請求項１の包装用容器は、ドレッシング等の内容物を収容する容器の上部に設けた開口部から内容物を注ぎ出すようにした包装用容器において、円筒形に形成した弾性を有する容器が胴部と下部とからなっており、前記胴部を外周方向へ滑らかに膨出した湾曲形状に形成すると共に、湾曲形状による胴部の最大外径部である変節点が胴部の上下幅の中間点よりも上方に存在し、且つ変節点の上方外形の曲率半径が変節点の下方外形の曲率半径よりも小である形状とし、前記変節点の上方外形が変節点の下方外形よりも強く反発することによって胴部の形状復元性が強く発揮されることを特徴とする。
【００１１】
また、本発明の請求項２の包装用容器は、請求項１において、容器の上部にて外周に突出した形状を有する肩部と外方へ滑らかに膨出した湾曲形状の胴部との境界部の外周に内方へ凹んだ形状を有するリブを形成したことを特徴とする。
【００１２】
さらに、本発明の請求項３の包装用容器は、請求項１又は２において、容器の下部の外周が容器の他の部位の外周よりも大径に形成され、容器の下部の外周に内方へ凹んだ下方リブを形成すると共に、この下方リブから上方の胴部へ向けて外径を徐々に縮小する傾斜部を形成しつつ胴部に至る形状であって、傾斜部と胴部との境界の外周に内方へ凹んだ上方リブを形成したことを特徴とする。
【発明の効果】
【００１３】
上記のように、本発明は円筒形に形成した容器の胴部を外周方向へ滑らかに膨出した湾曲形状に形成すると共に、湾曲形状による胴部の最大外径部である変節点が胴部の上下幅の中間点よりも上方に存在し、且つ変節点の上方外形の曲率半径が変節点の下方外形の曲率半径よりも小である形状としている。このような構成により、容器の胴部を外周から内方へ押圧することによって変形させた際、変節点の上方外形が変節点の下方外形よりも強く反発することによって胴部の形状復元性が強く発揮されるようになる。
【００１４】
従って、胴部の最大外径部である変節点が胴部の上下幅の中間点よりも上方に存在するため、容器の胴部を手で握ったとき、人差し指が変節点の上方外形を包囲すると共に、親指が胴部の最大外径部である変節点に当てられる。この状態で、親指に力を入れて、変節点付近とその上方外形を内方へ押圧すると、変節点の上方外形が変節点の下方外形よりも強く反発することによって胴部の形状が復元され、容器の開口部からの吸引力を有効に生かし、液だれを開口部の内方へ吸引する効果が大きくなる。
【００１５】
また、本発明の構成において、容器の上部にて外周に突出した形状を有する肩部と外方へ滑らかに膨出した湾曲形状の胴部との境界部の外周に内方へ凹んだ形状を有するリブを形成したことにより、胴部の上方に位置する肩部周辺の補強がなされる。また、容器にスクイズ性を持たせるために胴部を薄肉化したにもかかわらず、容器の肩部周辺の強度を確保することが可能となる。さらに、容器の胴部を手で握ったとき、誤って手から容器が滑ったときでも、容器の胴部の上方において外方に突出した肩部に手が引っかかることにより、容器の落下を防止することが可能となる。
【００１６】
また、本発明の構成において、容器の下部の外周を容器の他の部位の外周よりも大径に形成したことにより、製造工程や運送時においては、まず容器の下部が他の容器の下部に接触したり衝突したりすることとなる。しかしながら、本発明においては、容器の下部の外周に内方へ凹んだ下方リブを形成すると共に、この下方リブから上方の胴部へ向けて外径を徐々に縮小する傾斜部を形成しつつ胴部に至る形状とし、さらに傾斜部と胴部との境界の外周に内方へ凹んだ上方リブを形成してなる二段のリブ構造によって、容器の下部が補強されるため、製造工程や運送時における変形や容器の薄肉化に伴う減圧変形等を防止することが可能となる。
【００１７】
また、容器の胴部を手で握ったとき、容器の下部の下方リブと上方リブとの間の傾斜部に小指が当たることによって握り易くなり、使い易さの点でも効果的な形状を得ることが可能となる。
【図面の簡単な説明】
【００１８】
【図１】本発明における実施例の包装用容器に中栓を施した状態を示す正面図である。
【図２】本発明における実施例の包装用容器を示す図であり、（ａ）は正面図、(ｂ)は上面図、(ｃ)は底面図である。
【発明を実施するための形態】
【００１９】
以下、本発明の実施例について図面を参照しながら説明する。
【実施例】
【００２０】
本発明の実施例は、図２（ａ）〜(ｃ)に示すように、ドレッシング等の粘性を有する内容物を収容するための容器２の上部に設けた開口部４から内容物を注ぎ出すようにした包装用容器１に関するものである。このような容器２の素材としては、ＰＥＴ、即ちポリエチレンテレフタレートを使用することにより、容器２の弾性と透明性を確保することが可能である。ただし、容器２に透明性が要求されない場合、その素材としてポリプロピレン等を使用しても良い。
【００２１】
また、本実施例の包装用容器１は、容器２の胴部３を内側へ押圧することによって胴部３を搾り込むように変形可能とするスクイズ性を確保するため、その肉厚は０．４〜０．５ｍｍと薄く形成してある。
【００２２】
また、本実施例の包装用容器１は、図１に示すように、容器２の上部に形成された開口部４の外周の環状凸部４ａが中栓５の内周に形成された環状凹部（不図示）に嵌合することによって取り付け可能であり、中栓５に設けられた上蓋５ａによって開口部４が開閉される構成となる。
【００２３】
このような構成においては、中栓５に設けられたキャップ１３を取り外した際、上蓋５ａがキャップ１３の裏側に付着することによって、開口部４が開放状態となるように形成されている。なお、図１において、中栓５の外周に形成されたネジ山６がキャップ１３の内周に設けられた不図示のネジ溝にねじ込まれる構成とされている。
【００２４】
上記の本実施例の包装用容器１においては、図２に示すように、容器２の胴部３を外周方向へ滑らかに膨出した湾曲形状に形成すると共に、この湾曲形状による胴部３の最大外径部である変節点７が胴部３の上下幅（上幅Ｌ１＝下幅Ｌ２）の中間点Ｃよりも上方に存在し、且つ変節点７の上方外形７ａの曲率半径が変節点７の下方外形７ｂの曲率半径よりも小である構成としている。
【００２５】
このような構成において、容器２の胴部３の上下幅（上幅Ｌ１＝下幅Ｌ２）の中間点Ｃよりも上方に位置する部位に、外周方向へ滑らかに膨出した湾曲形状における最大外径部を取り、この最大外径部を変節点７として、変節点７の上方外形７ａの曲率半径を例えばＲ１４０ｍｍとし、変節点７の下方外形７ｂの曲率半径を例えばＲ５５０ｍｍとすることにより、変節点７の上方外形７ａの曲率半径が変節点７の下方外形７ｂの曲率半径よりも小となるように構成している。
【００２６】
このような構成により、容器２の胴部３を外周から内方へ押圧することによって変形させた際、変節点７の上方外形７ａが変節点７の下方外形７ｂよりも強く反発することによって胴部３の形状復元性が強く発揮されるようになる。
【００２７】
また、胴部３の最大外径部である変節点７が胴部３の上下幅の中間点Ｃよりも上方に存在するため、容器２の胴部３を手で握ったとき、人差し指が変節点７の上方外形７ａを包囲すると共に、親指が胴部３の最大外径部である変節点７に当てられる。
【００２８】
この状態で、親指に力を入れて、変節点７付近とその上方外形７ａを内方へ押圧すると、変節点７の上方外形７ａが変節点７の下方外形７ｂよりも強く反発することによって胴部３の形状が復元され、容器２の開口部４からの吸引力を有効に生かし、液だれを開口部４の内方へ吸引する効果が大きくなる。
【００２９】
また、本実施例の構成においては、図２に示すように、容器２の上部にて外周に突出した形状を有する肩部８と外方へ滑らかに膨出した湾曲形状の胴部３との境界部の外周に内方へ凹んだ形状を有するリブ９を形成した構成としている。このような構成により、胴部３の上方に位置する肩部８の周辺の補強がなされる。また、容器２にスクイズ性を持たせるために容器２を薄肉化したにもかかわらず、容器２の上部の強度を確保することが可能となる。
【００３０】
さらに、容器２の胴部３を手で握ったとき、誤って手から容器２が滑ったときでも、容器２の上部にて外周に突出した肩部８に手が引っかかることによって、容器２の落下を防止することが可能となる。
【００３１】
また、本実施例の構成において、図２に示すように、容器２の下部１０の外周を容器２の他の部位の外周よりも大径に形成することにより、製造工程や運送時においては、まず容器２の下部が他の容器２の下部に接触したり衝突したりすることとなる。
【００３２】
しかしながら、本実施例において、容器２の下部の外周に内方へ凹んだ下方リブ１１を形成すると共に、この下方リブ１１から上方の胴部３へ向けて外径を徐々に縮小する傾斜部１４を形成しつつ胴部３に至る形状としてあり、さらに傾斜部１４と胴部３との境界の外周に内方へ凹んだ上方リブ１２を形成したことによって、二段のリブ構造を構成している。このような二段のリブ構造により、容器２の下部１０が補強されるため、製造工程や運送時における変形や容器２の薄肉化に伴う減圧変形等を防止することが可能となる。
【００３３】
また、容器２の胴部３を手で握ったとき、容器２の下部１０の下方リブ１１と上方リブ１２との間の傾斜部１４に小指が当たることによって握り易くなり、使い易さの点でも効果的な形状を得ることが可能となる。
【００３４】
また、容器２の胴部３を手で握ったとき、容器２の下部の下方リブ１１と上方リブ１２との間の傾斜部１４に小指が当たることによって握りやすいため、使いやすさの点でも効果的な形状を得ることが可能となる。
【産業上の利用可能性】
【００３５】
本発明の包装用容器は、容器のスクイズ性を確保するために、容器の胴部を薄肉化し、しかも減圧変形等にも対処し得るように容器の胴部等の強度を確保するようにした包装用容器として利用可能である。
【符号の説明】
【００３６】
１  包装用容器
２  容器
３  胴部
４  開口部
４ａ  環状凸部
５  中栓
５ａ  上蓋
６  ネジ山
７  変節点
７ａ  上方外形
７ｂ  下方外形
８  肩部
９  リブ
１０  容器の下部
１１  下方リブ
１２  上方リブ
１３  キャップ
１４  傾斜部
Ｃ  胴部の中間点
Ｌ１  上方外形の上下幅
Ｌ２  下方外形の上下幅
【図１】
0005877583.tif 000002
【図２】
0005877583.tif 000003